【事件の表示】
　特許第５７８５６９９号発明「リボンカセット」の特許異議申立事件について、次のとおり決定する。
【結　論】
　特許第５７８５６９９号の明細書、特許請求の範囲を訂正請求書に添付された訂正明細書、特許請求の範囲のとおり、訂正後の請求項１、２について訂正することを認める。
　特許第５７８５６９９号の請求項２に係る特許を取り消す。
　特許第５７８５６９９号の請求項１に係る特許についての特許異議の申立てを却下する。
【理　由】
１．手続の経緯
　特許第５７８５６９９号の請求項１、２に係る特許についての出願は、平成２７年７月３１日付けでその特許権の設定登録がされ、その後、特許異議申立人ジュネスプロパティーズ株式会社より請求項１、２に対して特許異議の申立てがされ、平成２８年５月１６日付けで取消理由が通知され、同年７月１５日に意見書の提出及び訂正請求がされ、同年１２月６日付けで取消理由通知（決定の予告）がされ、平成２９年２月２日付けで意見書が提出がされたものである。
２．訂正の適否
（１）訂正の内容
　ア　訂正事項１
　「特許請求の範囲の請求項１を削除する。」
　イ　訂正事項２（下線は当審において引いたものである。以下も同じ。）
　特許請求の範囲の請求項２に、
「移動禁止部材は、１枚分の厚みのインクリボンが通過する駆動部材の付勢状態を基準として、２〜７枚分の厚みだけ枢支部材を介した駆動部材の反対向方向への移動を許容する位置に設けたことを特徴とする請求項１記載のリボンカセット。」とあったのを、
　「ドットインパクトプリンタに装着されて使用されるリボンカセットであって、開閉可能で本体と蓋とからなる筐体と、この筐体内に形成され、端同士を繋いだ無端状のファブリックリボンあるいは繋ぎ目のないファブリックシームレスリボンにインクを含浸させたインクリボンを密集状態で収納する収納部と、この収納部のインクリボンの戻り部位に平面視略直角三角形とされ、斜辺が前記収納部に臨むように設けられた枢支部材を介して設けられ、対向間に前記インクリボンを挟み込んだ対をなす駆動部材と、対をなす駆動部材を互いに密着させるべく少なくとも一方側の前記枢支部材を該駆動部材の対向方向に付勢するために該枢支部材の下端と、本体の上下方向の下内面との間に設けた付勢部材とを備え、対をなす駆動部材を枢支した枢支部材のうち前記付勢部材を設けた側の前記枢支部材が傾動可能とされ、傾動ストロークを一定範囲内に規制する移動禁止部材を、１枚分の厚みのインクリボンが通過する駆動部材の付勢状態を基準として、２枚分の厚みだけ枢支部材を介した駆動部材の反対向方向への移動を許容する位置に設けると共に、前記筐体の蓋側に設けて該蓋を開けることで該移動禁止部材による前記枢支部材の傾動禁止状態が解除されるようにしたことを特徴とするリボンカセット。」と、訂正する。
　ウ　訂正事項３
　明細書の段落【００１４】に、
「本発明は、ドットインパクトプリンタに装着されて使用されるリボンカセットであって、開閉可能で本体と蓋とからなる筐体と、この筐体内に形成され、端同士を繋いだ無端状のファブリックリボンあるいは繋ぎ目のないファブリックシームレスリボンにインクを含浸させたインクリボンを密集状態で収納する収納部と、この収納部のインクリボンの戻り部位に枢支部材を介して設けられ、対向間にインクリボンを挟み込んだ対をなす駆動部材と、対をなす駆動部材を互いに密着させるべく少なくとも一方側の枢支部材を該駆動部材の対向方向に付勢するために該枢支部材に設けた付勢部材とを備え、対をなす駆動部材を枢支した枢支部材のうち付勢部材を設けた側の枢支部材が傾動可能とされ、傾動ストロークを一定範囲内に規制する移動禁止部材を筐体の蓋側に設けて該蓋を開けることで該移動禁止部材による前記枢支部材の傾動禁止状態が解除されるようにしたことを最も主要な特徴とする。」とあったのを、
　「本発明は、ドットインパクトプリンタに装着されて使用されるリボンカセットであって、開閉可能で本体と蓋とからなる筐体と、この筐体内に形成され、端同士を繋いだ無端状のファブリックリボンあるいは繋ぎ目のないファブリックシームレスリボンにインクを含浸させたインクリボンを密集状態で収納する収納部と、この収納部のインクリボンの戻り部位に平面視略直角三角形状とされ、斜辺が前記収納部に臨むように設けられた枢支部材を介して設けられ、対向間に前記インクリボンを挟み込んだ対をなす駆動部材と、対をなす駆動部材を互いに密着させるべく少なくとも一方側の前記枢支部材を該駆動部材の対向方向に付勢するために該枢支部材の下端と、本体の上下方向の下内面との間に設けた付勢部材とを備え、対をなす駆動部材を枢支した枢支部材のうち前記付勢部材を設けた側の前記枢支部材が傾動可能とされ、傾動ストロークを一定範囲内に規制する移動禁止部材を、１枚分の厚みのインクリボンが通過する駆動部材の付勢状態を基準として、２枚分の厚みだけ枢支部材を介した駆動部材の反対向方向への移動を許容する位置に設けると共に、前記筐体の蓋側に設けて該蓋を開けることで該移動禁止部材による前記枢支部材の傾動禁止状態が解除されるようにしたことを最も主要な特徴とする。」と、訂正する。
（２）訂正の目的の適否、新規事項の有無、一群の請求項及び特許請求の範囲の拡張・変更の存否
　ア　訂正事項１は、請求項の削除であるから、特許請求の範囲の減縮を目的とし、新規事項の追加に該当せず、実質上特許請求の範囲を拡張し、又は変更するものではない。
　イ　訂正事項２は、訂正前の請求項１を引用する訂正前の請求項２に対して行われたものである。
まず、訂正事項２により、訂正後の請求項２は、訂正前の引用形式から独立形式に書き改められたものであるから、引用関係の解消を目的とするものである。
　訂正前の請求項１を引用する訂正前の請求項２は以下のとおりであると認められる。
　「ドットインパクトプリンタに装着されて使用されるリボンカセットであって、開閉可能で本体と蓋とからなる筐体と、この筐体内に形成され、端同士を繋いだ無端状のファブリックリボンあるいは繋ぎ目のないファブリックシームレスリボンにインクを含浸させたインクリボンを密集状態で収納する収納部と、この収納部のインクリボンの戻り部位に枢支部材を介して設けられ、対向間に前記インクリボンを挟み込んだ対をなす駆動部材と、対をなす駆動部材を互いに密着させるべく少なくとも一方側の前記枢支部材を該駆動部材の対向方向に付勢するために該枢支部材に設けた付勢部材とを備え、対をなす駆動部材を枢支した枢支部材のうち前記付勢部材を設けた側の前記枢支部材が傾動可能とされ、傾動ストロークを一定範囲内に規制する移動禁止部材を、１枚分の厚みのインクリボンが通過する駆動部材の付勢状態を基準として、２〜７枚分の厚みだけ枢支部材を介した駆動部材の反対向方向への移動を許容する位置に設け、前記筐体の蓋側に設けて該蓋を開けることで該移動禁止部材による前記枢支部材の傾動禁止状態が解除されるようにしたことを特徴とするリボンカセット。」
　そして、上記のとおり、訂正前の請求項２を独立形式に書き改めると共に、さらに以下のとおり、訂正するものであって、それぞれについて検討する。
　（ア）　「平面視略直角三角形状とされ、斜辺が前記収納部に臨むように設けられた枢支部材」
　これは、枢支部材の平面視の形状と、リボンカセットに組み付けられた状態での枢支部材の向きを限定したものであるから、特許請求の範囲の減縮を目的とするものである。
　そして、願書に添付した明細書の段落【００３２】に「すなわち、枢支部材３Ａ，３Ｂは、図１（ａ）に示すように本実施例では平面視略直角三角形状とされ、斜辺が収納部２Ｃに臨むように設けられている。」と記載されているから、新規事項の追加に該当せず、また、実質上特許請求の範囲を拡張し、又は変更するものではない。
　（イ）　（少なくとも一方側の）枢支部材の下端と、本体の上下方向の下内面との間に設けた付勢部材
　これは、付勢部材を設けた場所を限定したものであるから、特許請求の範囲の減縮を目的とするものである。
　そして、願書に添付した明細書の段落【００３４】に「枢支部材３Ｂの下端で枢支軸３ｂを設けた側と反対の端部（入口側）と、本体２Ａの上下方向の下内面との間には、付勢部材としての例えば本実施例では巻きばね５を介設している。」と記載されているから、新規事項の追加に該当せず、また、実質上特許請求の範囲を拡張し、又は変更するものではない。
　（ウ）　２枚分の（厚みだけ枢支部材を介した駆動部材の反対向方向への移動を許容する）
　これは、枢支部材３Ｂが傾動することができる量を限定したものであるから、特許請求の範囲の減縮を目的とするものである。
　そして、願書に添付した明細書の段落【００３７】に「インクリボンＲの２枚分の厚み分だけ枢支部材３Ｂが傾動することができる位置に設けている。」と記載されているから、新規事項の追加に該当せず、また、実質上特許請求の範囲を拡張し、又は変更するものではない。
　ウ　訂正事項３は、訂正事項２による訂正によって訂正された請求項２の記載と整合性を取るために、願書に添付した明細書のうち関連する発明の詳細な説明の記載を訂正するものであるから、明瞭でない記載の釈明を目的とするものである。
　そして、訂正事項２と同じ理由により、新規事項の追加に該当せず、実質上特許請求の範囲を拡張し、又は変更するものではない。
　また、訂正前の請求項１、２は、請求項２が、訂正の請求の対象である請求項１の記載を引用する関係にあるから、訂正前において一群の請求項に該当するものである。したがって、訂正の請求は、一群の請求項ごとにされたものである。
（３）小括
　したがって、上記訂正請求による訂正事項１乃至３は、特許法第１２０条の５第２項ただし書第１号、３号又は第４号に掲げる事項を目的とするものであり、かつ、同条第９項で準用する同法第１２６条第４項から第６項までの規定に適合するので、訂正後の請求項１、２について、一群の請求項ごとに訂正を認める。
３．当審の判断
（１）取消理由通知に記載した取消理由について
ア　訂正後の請求項１に係る発明
　上記訂正請求により訂正された訂正後の請求項１に係る発明（以下「本件訂正発明２」という。）は、上記２．（１）訂正の内容において示したとおりのものである。
イ　刊行物の記載
　取消理由通知において引用した甲第１号証（ＩＮＫＥＤ　ＲＩＢＢＯＮ　ＣＡＲＴＲＩＤＧＥ　ＡＭＡＮＯ　Ｃｏｒｐｏｒａｔｉｏｎ　「ＣＥ−３１９２５０」）、甲第２号証（甲第１号証の「ＩＮＫＥＤ　ＲＩＢＢＯＮ　ＣＡＲＴＲＩＤＧＥの外箱、外観、内部を撮影したもの）から、以下の事項が看て取れる。
　Ａ　リボンカセットであって、開閉可能で本体と蓋とからなる筐体
　Ｂ　筐体内に形成され、端同士を繋いだ無端状のファブリックリボンあるいは繋ぎ目のないファブリックシームレスリボンにインクを含浸させたインクリボンを密集状態で収納する収納部
　Ｃ　収納部のインクリボンの戻り部位に設けられた枢支部材を介して設けられ、対向間に前記インクリボンを挟み込んだ対をなす駆動部材
　Ｄ　対をなす駆動部材を互いに密着させるべく少なくとも一方側の前記枢支部材を該駆動部材の対向方向に付勢するために該枢支部材の下端と、本体の上下方向の下内面との間に設けた付勢部材
　Ｅ　対をなす駆動部材を枢支した枢支部材のうち前記付勢部材を設けた側の傾動可能な枢支部材
　Ｆ　傾動ストロークを一定範囲内に規制する、枢支部材を介した駆動部材の反対向方向への移動を許容する位置に設けた移動禁止部材
　Ｇ　筐体の蓋側に設けて該蓋を開けることで該移動禁止部材による前記枢支部材の傾動禁止状態が解除されるリボンカセット
　上記甲第１号証に係る「ＩＮＫＥＤ　ＲＩＢＢＯＮ　ＣＡＲＴＲＩＤＧＥ（以下「インクリボンカートリッジ」という。）」の外箱に記載された「【Ｈｏｍｅｐａｇｅ】　Ｊａｐａｎ：　ｈｔｔｐ：／／ａｍａｎｏ．ｃｏ．ｊｐ／」は、「神奈川県横浜市港北区大豆戸２７５番地　アマノ株式会社」のホームページのウェブサイトのＵＲＬである。
　甲第３号証には「電子タイムレコーダー　ＣＲＸ−２００」に使用するリボンカセットは「ＣＥ−３１９２５０」であること及びアマノ株式会社の住所が「神奈川県横浜市港北区大豆戸２７５番地」であることが記載され、該カタログの写しにおいて、左右方向中央部近傍の最下段には「Ｋ９０００Ｓ２００−２００７．１１」なる表記も認められる。
　さらに、甲第３号証の「電子タイムレコーダー　ＣＲＸ−２００」の仕様から、電子タイムレコーダー　ＣＲＸ−２００は「ドットプリンター方式」であることが認められ、インクを含浸させたインクリボンであることを踏まえると、ドットインパクトプリンタであることは当業者にとって自明である。
　したがって、以上の記載によれば、甲第１号証には以下の発明（以下「甲１発明」という。）が記載されていると認められる。
　「ドットインパクトプリンタに装着されて使用されるリボンカセットであって、
　開閉可能で本体と蓋とからなる筐体と、
　この筐体内に形成され、端同士を繋いだ無端状のファブリックリボンあるいは繋ぎ目のないファブリックシームレスリボンにインクを含浸させたインクリボンを密集状態で収納する収納部と、この収納部のインクリボンの戻り部位に設けられた枢支部材を介して設けられ、対向間に前記インクリボンを挟み込んだ対をなす駆動部材と、対をなす駆動部材を互いに密着させるべく少なくとも一方側の前記枢支部材を該駆動部材の対向方向に付勢するために該枢支部材に設けた付勢部材とを備え、対をなす駆動部材を枢支した枢支部材のうち前記付勢部材を設けた側の前記枢支部材が傾動可能とされ、傾動ストロークを一定範囲内に規制する移動禁止部材を前記筐体の蓋側に設けて該蓋を開けることで該移動禁止部材による前記枢支部材の傾動禁止状態が解除されるようにしたことを特徴とするリボンカセット。」
ウ　対比・判断
　まず、甲１発明が公然実施されたものであるか、いつ実施されたものであるかについて検討する。
　甲第３号証は、アマノ株式会社の電子タイムレコーダー「ＣＲＸ−２００」の製品カタログの写しであって、そこには「ＣＥ−３１９２５０」なる品番のリボンカセットと、「２００７．１１」という記載があり、一般常識に照らして、２００７年１１月（平成１９年１１月）発行のカタログに「ＣＥ−３１９２５０」なる品番のリボンカセットが掲載されていると認められる。
　甲第４号証には、「アマノ　インクリボンＣＥ−３１９２５０」の「Ａｍａｚｏｎ．ｃｏ．ｊｐ」での取り扱い開始日が、２００６年７月１日（平成１８年７月１日）であると記載されている。
　甲第１号証のインクリボンカートリッジ、甲第３号証に記載されたリボンカセット及び甲第４号証のインクリボンは、「アマノ」と「品番」が共通しているところから、すべてアマノ株式会社のＣＥ−３１９２５０に係る証拠であると認められ、本件特許の出願日である平成２２年７月２０日より前の「平成１８年７月１日」には、少なくとも公然実施されたものであるとも認められる。
　したがって、甲１発明は、本件特許の出願日前に公然実施されたものと認める。
　本件訂正発明２と甲１発明とを対比すると、本件訂正発明２は、
　「（ア）平面視略直角三角形とされ、斜辺が前記収納部に臨むように設けられた枢支部材」、
　「（イ）（少なくとも一方側の）枢支部材の下端と、本体の上下方向の下内面との間に設けた付勢部材」、
　「（ウ）２枚分の厚みだけ枢支部材を介した駆動部材の反対向方向への移動を許容する付勢部材」という事項を有するのに対し、甲１発明はそのような事項を有しない点で相違する。
　上記相違点について検討すると、
　（ア）枢支部材の平面視の形状、及びリボンカセットに組み付けられた状態での枢支部材の向きについて「平面視略直角三角形」とし、「斜辺が前記収納部に臨む」ようにすることに、技術的困難性はなく、当業者が適宜選択する程度の設計的事項にすぎない。
　権利者は、平成２８年７月１５日付け意見書において、相違点（ア）の発明特定事項を備えることによって、「駆動部材間の距離は、移動禁止部材の移動許容量（配置位置）とイコールの関係になる」という効果を主張しているが、明細書に基づかない効果の主張であり、採用することはできない。
　したがって，相違点（ア）に係る本件訂正発明２の発明特定事項は，本件特許の出願日より前に公然実施された甲１発明に基づいて当業者が容易に想到し得たものである。
　（イ）付勢部材を設けた場所を「（少なくとも一方側の）枢支部材の下端と、本体の上下方向の下内面との間」とすることに、技術的困難性はなく、当業者が適宜選択する程度の設計的事項にすぎない。
　権利者は、上記意見書において、相違点（イ）の発明特定事項を備えることによって、「駆動部材間の距離は、移動禁止部材の移動許容量（配置位置）とイコールの関係になる」という効果を主張しているが、これも相違点（ア）と同様、明細書に基づかない効果の主張であり、採用することはできない。
　したがって，相違点（イ）に係る本件訂正発明２の発明特定事項は，本件特許の出願日より前に公然実施された甲１発明に基づいて当業者が容易に想到し得たものである。
　なお、相違点（ア）、（イ）に関して、権利者は、平成２９年２月２日付け意見書において、相違点（ア）、（イ）の発明特定事項を備えることによって、「駆動部材（間）直下の、つまり駆動部材が枢支部材を介して下方へ直線的に移動する（傾動）量を直接示していることに基づいて、駆動部材間の距離を該枢支部材の移動量でもって正確に測ることができる（第３頁第２５行〜第４頁１７行）」旨、主張しているが、本件訂正発明２においても、甲１発明においても、枢支部材は、その斜辺の下側の頂点に存在する枢支軸を中心に回動しているものであるから、「枢支部材の移動量の正確さ」も、枢支部材の全体形状や寸法によって決まる程度の設計的事項に過ぎず、本件訂正発明２のように構成することによって、格別の作用効果が生じたと認めることができず、甲１発明に比して、「枢支部材の移動量」が正確であったとしても、それは当業者が予測しうる範囲内のものに過ぎない。
　（ウ）２枚分の厚みだけ枢支部材を介した駆動部材の反対向方向への移動を許容するについては、甲１発明においても、何枚分かのインクリボンの厚みだけ枢支部材を介した駆動部材の反対向方向への移動を許容していたことは自明であり、その許容量として「２枚分の厚みだけ」とすることに、技術的困難性はなく、当業者が適宜選択する程度の設計的事項にすぎない。
　権利者は、上記意見書において、相違点（イ）の発明特定事項を備えることによって、「２枚分、つまり積層された状態の最小単位である３枚分が積層された状態で駆動部材間を通過することが許容されないので、何らかの要因で駆動部材間に３枚分が積層されたインクリボンが挟まって該駆動部材の駆動が停止することがあっても、該駆動部材の逆回転による収納部からの漏出はほとんどない。」という効果を主張しているが、これは単に「２枚分」という数値限定に伴う効果の主張にすぎず、機械設計の常識に基づく効果であって、格別の効果を奏しているとまではいえない。
　したがって，相違点（ウ）に係る本件訂正発明２の発明特定事項は，本件特許の出願日より前に公然実施された甲１発明に基づいて当業者が容易に想到し得たものである。
　なお、相違点（ウ）に関して、権利者は、平成２９年２月２日付け意見書において、相違点（ウ）の発明特定事項は、「駆動部材間を通過しようとするインクリボンの枚数において「２枚」と「３枚以上」とでは駆動部材の逆回転防止に関しては不可能と可能とでその作用効果及び技術的意義が全く異なる（第５頁第２９行〜第６頁２５行）」旨、主張しているが、これは、付勢部材の「駆動部材の反対向方向への移動を許容する量」が、「駆動部材間を通過しようとするインクリボンの枚数」を決定するという、つまり、「許容する量」が、多ければ多くの枚数のインクリボンが通過でき、少なければ少ない枚数のインクリボンしか通過できないという、機械設計上当然のことを述べているに過ぎず、権利者が主張する「２枚分の（許容量）」の作用効果は、当業者が予測しうる範囲内のものに過ぎない。
４．むすび
　以上のとおり、本件訂正発明２は本件特許の出願日より前に公然実施された甲１発明に基づいて当業者が容易に発明をすることができたものであるから、本件訂正発明２に係る特許は特許法第２９条第２項の規定に違反してされたものである。
　したがって、本件訂正発明２に係る特許は、特許法第１１３条第２号に該当し、取り消されるべきものである。
　また、請求項１に係る特許は、訂正により削除されたため、本件特許の請求項１に対して特許異議申立人がした特許異議の申立については、対象となる請求項が存在しない。
　よって、結論のとおり決定する。
【異議決定日】
平成２９年３月１４日（２０１７．３．１４）
【訂正の要旨】
審決（決定）の【理由】欄参照。
（５４）【発明の名称】
リボンカセット
　【技術分野】
　【０００１】
　本発明は、ファブリックリボンあるいはファブリックシームレスリボンにインクを染み込ませたインクリボンを送る対をなすギヤ又はローラの逆回転を禁止するための遊星ギヤを設けず、また、該遊星ギヤを設けるスペースを必要とせず、さらにはほとんどコストアップすることなく、ギヤ又はローラの逆回転を禁止するリボンカセットに関するものである。
　【背景技術】
　【０００２】
　ドットインパクトプリンタに用いられるリボンカセットは、端同士を繋いだ無端状のファブリックリボンあるいは繋ぎ目のないファブリックシームレスリボンにインクを染み込ませたインクリボンと、このインクリボンを密集状態で収納する収納部と、この収納部のインクリボンの戻り部位（入口部）に設けられた対をなすギヤ又はローラを有する。
　【０００３】
　インクリボンは、対をなすギヤ又はローラ間に挟み込まれており、ドットインパクトプリンタ側の駆動源により該ギヤ又はローラを順方向に回転させることで、ドットインパクトプリンタの印字部から収納部へと戻されると同時にこの戻される分だけ該収納部からドットインパクトプリンタの印字部へ送られる。
　【０００４】
　図３に示すように、収納部１０では無端状のインクリボンＲは、整列や巻装などされてなく単に密集した状態で収納されているので、該収納部１０へ戻ったインクリボンＲは当然に再度密集した状態となる。ここで、ギヤ又はローラ１１を上記適切な使用方向（順回転）とは反対に回転（逆回転）させると、インクリボンＲは当然に送り方向とは反対に、つまり入口部から送り出される。
　【０００５】
　ところが、前記のとおり収納部１０に戻ったインクリボンＲは雑然と密集した状態で収納されているので、逆回転させるとその密集した状態のまま、例えば厚み方向に積層した状態でギヤ又はローラ１１間を通過して入口部の外側に出てしまうこととなる。
　【０００６】
　一般的に、リボンカセットＲにおけるギヤ又はローラ１１間の入口部の収納部１０と反対の空間（以下、外側空間と記す）Ｓは、当然のことながら収納部１０より狭く、単に戻ってくるリボンカセットＲをガイドする程度の広さとされている。
　【０００７】
　したがって、上記のようにギヤ又はローラ１１の逆回転によって外側空間Ｓに出たインクリボンＲは、収納部１０で密集する場合と比較して激しく密集して外側空間Ｓを詰まらせて、また、ギヤ又はローラ１１間に噛み込まれた状態のままで、インクリボンＲが順方向にも逆方向にも移動しない状態となることがある。
　【０００８】
　また、一旦外側空間に出たインクリボンＲが前記のとおり該外側空間Ｓで密集した状態でギヤ又はローラ１１に挟み込まれると、ギヤ又はローラ１１間で順方向にも逆方向にも移動しないで詰まってしまい、かつギヤ又はローラ１１自体が順回転も逆回転もしない状態となり使用不能となる。
　【０００９】
　そこで、例えば以下の特許文献１〜３には、ギヤ又はローラの逆回転を防止する構成が示されている。
　【先行技術文献】
　【特許文献】
　【００１０】
　【特許文献１】　実開平５−４１８３４号公報
　【特許文献２】　実開平５−６３８６５号公報
　【特許文献３】　特開平７−２７６７５７号公報
　【００１１】
　特許文献１〜３は、いずれも対をなすギヤのうちの一方に遊星ギヤを設けて、この遊星ギヤが対をなすギヤの逆回転により連れ回されて移動するとロック用のリブと噛合して該遊星ギヤのそれ以上の逆回転を禁止し、これにより対をなすギヤの逆回転を阻止する構成である。
　【００１２】
　しかしながら、特許文献１〜３の構成は、いずれも対をなすギヤの他に遊星ギヤを設ける必要があり、逆回転を禁止するための部品数が１つ増え、コストアップに繋がると共に、リボンカセットの構造において遊星ギヤを設けるスペースが余分に必要となり、その分インクリボンの収納容量を減少させる可能性があるといった問題があった。
　【発明の概要】
　【発明が解決しようとする課題】
　【００１３】
　解決しようとする問題点は、遊星ギヤを設けず、また、該遊星ギヤを設けるスペースを必要とせず、さらにはほとんどコストアップすることなく、ギヤ又はローラの逆回転を禁止するリボンカセットを提供することにある。
　【課題を解決するための手段】
　【００１４】
　本発明は、ドットインパクトプリンタに装着されて使用されるリボンカセットであって、開閉可能で本体と蓋とからなる筐体と、この筐体内に形成され、端同士を繋いだ無端状のファブリックリボンあるいは繋ぎ目のないファブリックシームレスリボンにインクを含浸させたインクリボンを密集状態で収納する収納部と、この収納部のインクリボンの戻り部位に
平面視略直角三角形状とされ、斜辺が前記収納部に臨むように設けられた
の下端と、本体の上下方向の下内面との間
、１枚分の厚みのインクリボンが通過する駆動部材の付勢状態を基準として、２枚分の厚みだけ枢支部材を介した駆動部材の反対向方向への移動を許容する位置に設けると共に、
　【発明の効果】
　【００１５】
　本発明は、駆動部材を逆回転させた場合において、インクリボンが収納部から積層状態で該駆動部材間を通過しようとしても、枢支部材を介して対向方向に付勢している付勢部材による駆動部材の反対向方向への移動が、移動禁止部材により禁止されるので、積層状体のインクリボンが駆動部材間に挟まって該駆動部材の逆回転を許容しない。
　【００１６】
　したがって、駆動部材を逆回転させた際に積層状態のインクリボンが駆動部材間で挟まって逆回転が禁止されるから、該インクリボンが収納部の外側空間（筐体内において駆動部材の形成位置から見て反収納部側の空間）に積層状態のインクリボンが出ることも抑制される。
　【００１７】
　また、付勢部材を設けた側の枢支部材の付勢力に抗する移動を禁止する移動禁止部材を筐体に設けることで、駆動部材の逆回転を禁止するための別途の例えば遊星ギヤなどの駆動部材を設けること、及びそういったスペースが不要となり、ほとんどコストアップすることなく、また、インクリボンの収納量を減らすことなくギヤ又はローラの逆回転を禁止することが可能となる。
　【図面の簡単な説明】
　【００１８】
　【図１】図１は、本発明のリボンカセットを示し、（ａ）は底部の図示を省略した筐体内を示す図、（ｂ）は（ａ）のＡ−Ａ線端面図、（ｃ）は（ａ）のＢ−Ｂ線端面図、である。（実施例１）
　【図２】図２は、本発明のリボンカセットの動作状況を示す図である。（実施例２）
　【図３】図３は、リボンカセットにおけるトラブル発生状況を示す図である。
　【発明を実施するための形態】
　【００１９】
　本発明は、後述の実施例１において実施するための形態を示すが、ここで、用途や用語等の定義を示すこととする。本発明のリボンカセットは、ドットインパクトプリンタに装着されて使用されるものである。ドットインパクトプリンタに使用されるリボンカセットは、筐体内に、端同士を繋いだ無端状のファブリックリボンあるいは繋ぎ目のないファブリックシームレスリボンにインクを含浸させたインクリボンを密集状態で収納する収納部が形成されている。
　【００２０】
　密集状態とは、例えば巻装したり、蛇腹状に整列したり、といった整然と規則正しく収納されてはなく、単に押し込まれたような状態を意味する。収納部の送り側はドットインパクトプリンタの印刷部位へとインクリボンが送られる側で、戻り側はドットインパクトプリンタの印刷部位からインクリボンが戻ってくる側を意味する。
　【００２１】
　すなわち対をなす駆動部材は、収納部の戻り部位に枢支部材を介して設けられている。駆動部材は例えばギヤであってもローラであってもよい。対向間とは、対をなす駆動部材同士の間を意味し、ここにインクリボンが挟み込まれる。
　【００２２】
　対をなす駆動部材を各々枢支した枢支部材は筐体に設けられ、少なくとも一方側には、対をなす駆動部材を対向方向に互いに密着させるべく、付勢部材が設けられている。付勢部材は例えばばねなどの弾性体を採用することができる。
　【００２３】
　そして、移動禁止部材は、筐体に設けたものであって、付勢部材を設けた側の枢支部材の付勢力に抗する移動、すなわち、駆動部材の反対向方向への一定量以上の移動を禁止する。
　【００２４】
　さらに、本発明のリボンカセットは、移動禁止部材に関して、筐体を開閉可能な構造とし、この筐体における蓋側に設ければよい。こうすると、蓋を開けて作業をする際には、移動禁止部材による駆動部材の反対向方向への移動の禁止が解除されるから、対向間隔に余裕が生じ、例えば使用済みのインクリボンを駆動部材間から抜いて、新たなインクリボンを駆動部材の対向間に挿入するといった、入れ替え等の作業がしやすくなる。
　【００２５】
　そして、本発明のリボンカセットにおける移動禁止部材は、１枚分の厚みのファブリックリボンが通過する駆動部材の付勢状態を基準として、２〜７枚分の厚みだけ枢支部材を介した駆動部材の反対向方向への移動を許容する位置に設ければよい。
　【００２６】
　上記移動許容量は、例えば１枚分の厚み以上を許容しないこととすると、駆動部材や筐体材料の成形誤差が許されないこととなり、場合によっては１枚分のインクリボンが通過する順送りの場合も駆動部材が駆動しない場合もあり得る。一方、例えば７枚を超える厚みを許容すると、場合によっては断続的な積層状態のインクリボンが収納部の外側空間に出てしまうことがあり得る。
　【実施例１】
　【００２７】
　以下に図１及び図２を参照して、本発明のリボンカセットについて説明する。図１（ａ）及び図２では、筐体の本体側の底部（蓋側と反対面）の図示を省略している。本発明のリボンカセット１は、不図示のドットインパクトプリンタに装着され、筐体２内に、端同士を繋いだ無端状のファブリックリボンにインクを含浸させたインクリボンＲを収納している。
　【００２８】
　筐体２は、本体２Ａと蓋２Ｂとからなり、本実施例では開閉可能とされている。筐体２は、全体として略矩形状とされ、図１（ａ）で示す上部で幅方向中央に空間Ｐが形成され、ここで露出しているインクリボンＲが、該空間Ｐ近傍に位置するドットインパクトプリンタの印字部により印刷に供される。インクリボンＲはドットインパクトプリンタの印字部へ送られて使用され、筐体２内に戻る。
　【００２９】
　筐体２は、幅方向の図１（ａ）に示す左側にインクリボンＲが印字部に送られる送り経路１ａが形成され、幅方向の図１（ａ）に示す右側にインクリボンＲが印字部を経て戻される戻り経路１ｂが形成されている。
　【００３０】
　筐体２の下部には、収納部２Ｃが形成されている。収納部２Ｃは、図１（ａ）に示す、右側を該収納部２Ｃへ戻る入口とし、左側を該収納部２Ｃから印字部へ送られる出口とされている。この収納部２Ｃには、入口から戻ったインクリボンＲが密集状態で収納されている。
　【００３１】
　筐体２の収納部２Ｃにおける出口側には、図１（ｃ）に示すように、本体２Ａと蓋２Ｂの対向面に互いに対向方向に若干だけ突出した堰部２Ａａ，２Ｂａが形成されている。インクリボンＲは堰部２Ａａ，２Ｂａにより幅方向の端部が引っ掛かって収納部２Ｃに止まる。一方、収納部２Ｃの出口側から送り出されるインクリボンＲは、引き出される力により幅方向に変形して堰部２Ａａ，２Ｂａ間から引き出されるようになっている。
　【００３２】
　筐体２における本体２Ａ側の収納部２Ｃにおける入口側には、枢支部材３が設けられ、この枢支部材３は、図１（ａ）（ｂ）における上下の高さ方向に枢支部材３Ａ，３Ｂで対をなしている。すなわち、枢支部材３Ａ，３Ｂは、図１（ａ）に示すように本実施例では平面視略直角三角形状とされ、斜辺が収納部２Ｃに臨むように設けられている。こうすることで、収納部２Ｃの入口から出口にかけてインクリボンＲが入口近傍に止まることなく速やかに送られる。
　【００３３】
　枢支部材３には駆動部材４が設けられ、本実施例では、枢支部材３Ａ，３Ｂの収納部２Ｃの入口を形成する部位に、例えば駆動部材として対をなすギヤ４（ギヤ４Ａ，４Ｂ）が噛合するように各々枢支されている。
　【００３４】
　枢支部材３Ａ，３Ａのうち本実施例では図示下側の一方の枢支部材３Ｂは、本体２Ａに設けられた枢支軸３ｂにより枢支され、これを中心に該枢支部材３Ｂが傾動する。そして、枢支部材３Ｂの下端で枢支軸３ｂを設けた側と反対の端部（入口側）と、本体２Ａの上下方向の下内面との間には、付勢部材としての例えば本実施例では巻きばね５を介設している。
　【００３５】
　すなわち、ギヤ４Ａ，４Ｂは、ギヤ４Ａに対してギヤ４Ｂが、巻きばね５により枢支部材３Ｂを介して対向方向（ギヤ４Ａ方向）に付勢されており、インクリボンＲはこれらギヤ４Ａ，４Ｂ間に通されている。
　【００３６】
　上記枢支部材３Ｂの下端で枢支軸３ｂを設けた側と反対の端部（入口側）と、本体２Ａの上下方向の下内面との間には、該枢支部材３Ｂの傾動ストロークを一定範囲内に規制する、すなわち該枢支部材３Ｂの一定量以上の傾動を禁止する、移動禁止部材６が設けられている。この移動禁止部材６は、筐体２における蓋２Ｂに設けられており、蓋２Ｂを開けることで、該移動禁止部材６による枢支部材３Ｂの傾動ストロークの制限を解除する構成とされている。
　【００３７】
　移動禁止部材６は、本実施例では、例えばインクリボンＲの１枚分の厚みを基準として、本実施例では例えばインクリボンＲの２枚分の厚み分だけ枢支部材３Ｂが傾動することができる位置に設けている。すなわち、ギヤ４Ａ，４Ｂ間に２枚より厚い状態で積層したインクリボンＲが噛み込まれた場合は、傾動した枢支部材３Ｂが移動禁止部材６と当接して、該枢支部材３Ｂがそれ以上傾動することを許容しない構成とされている。
　【００３８】
　上記構成のリボンカセット１は、ギヤ４Ａ，４Ｂ、本実施例の場合は、ギヤ４Ａがドットインパクトプリンタによって順方向に回転駆動されると、該ギヤ４Ａ，４Ｂに噛み込まれているインクリボンＲが順次、収納部２Ｃに戻されると同時に、このテンションにより、収納部２Ｃの出口側からインクリボンＲが送り出される。
　【００３９】
　例えばドットインパクトプリンタからリボンカセット１を取り外して、使用者が誤ってギヤ４Ａを逆方向に回転させると、次のように動作してトラブルが抑制される。すなわち、収納部２Ｃにおいては、入口側からはインクリボンＲが整然と（積層されることなく）収納され、該収納部２Ｃ内において密集状態となる。
　【００４０】
　ギヤ４Ａ，４Ｂを逆回転させると、収納部２Ｃから密集状態のインクリボンＲが入口側から出ようとする。このとき、上述のとおり収納部２ＣではインクリボンＲが密集しているので、図２に示すように、容易に積層した状態で該ギヤ４Ａ，４Ｂ間に噛み込まれることとなる。
　【００４１】
　本実施例ではインクリボンＲの２枚分の厚みを超える、積層されたインクリボンＲがギヤ４Ａ，４Ｂに噛み込まれると、その分だけ、枢支部材３Ｂが巻きばね５の付勢力に抗して傾動して移動禁止部材６に当接して、それ以上の傾動が許容されない。
　【００４２】
　逆回転の初期に、積層されたインクリボンＲがギヤ４Ｂ，４Ｂに噛み込まれた状態になると、つまりギヤ４Ａ，４Ｂにおける収納部２Ｃから入口へ向けた噛み込み初期の状態で、移動禁止部材６と枢支部材３Ｂとが当接すると、ギヤ４Ａ，４Ｂのそれ以上の逆回転は禁止され、このとき順回転させることで未だ完全にギヤ４Ａ，４Ｂの対向間に達していない積層されたインクリボンＲは収納部２Ｃに戻り、再度通常の使用が可能となる。
　【００４３】
　すなわち、本実施例における移動禁止部材６は、積層されたインクリボンＲがギヤ４Ａ，４Ｂの対向間に達する前に、そのような挙動を察知して動作するように設定されている。枢支部材３Ｂの傾動許容量として本実施例で設定したインクリボンＲの厚み２枚分は、次の意味がある。無端状のインクリボンＲは積層状態では厚み２枚での積層はなく、積層されるとすれば最小単位でも厚み３枚分となる。
　【００４４】
　したがって、本実施例のように、移動禁止部材６は、積層されたインクリボンＲの例えば２枚分の厚み分だけ枢支部材３Ｂの傾動を許容する位置に設けておけば、密着状態（例えば３枚分の厚みちょうど）で積層されたとしても、上述のように積層されたインクリボンＲがギヤ４Ａ，４Ｂの対向間に達する前に逆回転が禁止され、順回転すればインクリボンＲは収納部２Ｃに戻り、再度通常の使用が可能となる。
　【００４５】
　逆に例えば移動禁止部材６の位置を、例えばインクリボンＲの１枚分の厚み分だけ枢支部材３Ｂの傾動を許容する位置とすると、あまりにも傾動許容量が小さすぎて、例えばギヤ４Ａ，４Ｂの成型誤差等によっても回転が禁止されてしまう場合が生じ、順回転も逆回転も不可能となる可能性がある。
　【００４６】
　一方、７枚を超える厚み分の位置に移動禁止部材６を設けると、３枚、５枚、７枚に積層されたインクリボンＲがギヤ４Ａ，４Ｂの対向間に達することはもちろん、そのように積層されたインクリボンＲが順次逆回転させるだけ止まることなくギヤ４Ａ，４Ｂの対向間を超えて収納部２Ｃの入口より外側へ出る可能性、つまり逆回転禁止の効果がほとんど無くなる可能性がある。
　【００４７】
　上限値とする７枚の厚み分の位置に移動禁止部材６を設けた場合、例えば５枚積層されたインクリボンＲはギヤ４Ａ，４Ｂの対向間を通過が可能であるが、実際には、逆転を続けると、収納部２Ｃ側ではインクリボンＲの密度が高いので、すぐに７枚より多く積層されたインクリボンＲが、ギヤ４Ａ，４Ｂの対向間に入り込もうとし、逆回転がその時点で禁止される。
　【００４８】
　つまり、インクリボンＲの例えば７枚（上限値）の厚み分だけ枢支部材３Ｂの傾動を許容する位置に移動禁止部材６を設けた場合は、本実施例のように２枚の厚み分の位置に移動禁止部材６を設けた場合のようなギヤ４Ａ，４Ｂの対向間に達する前に逆転を即時禁止するといった効果は若干低下するものの、積層されたインクリボンＲが例えば数ミリだけ収納部２Ｃの入口部より外側に出たとしても、その後には、上記のとおり逆転が確実に禁止される。
　【００４９】
　また、移動禁止部材６は蓋２Ｂ側に設けているが、この理由は、例えばインクリボンＲだけを取り替えるような作業をする際に、本体２Ａに移動禁止部材６が設けられていると、蓋２Ｂを開けても移動禁止部材６による枢支部材３Ｂの傾動禁止状態が解除されないからである。
　【００５０】
　したがって、移動禁止部材６を蓋２Ｂ側に設けておくことで、該蓋２Ｂを開けることで枢支部材３Ｂの傾動禁止状態が解除され、巻きばね５の最大に圧縮するまでギヤ４Ａ，４Ｂの対向間を広くすることができ、該ギヤ４Ａ，４Ｂの対向間に取り替えたインクリボンＲを挿入しやすくなる。
　【００５１】
　また、本発明のリボンカセット１は、ギヤ４Ａ，４Ｂの逆回転を禁止するために例えば遊星ギヤなどの比較的大きな部材を新たに備える構成ではないので、筐体２内の特に収納部２Ｃを圧迫することがなく、多くのインクリボンＲを収納しておくことができると共に、別部材の追加コストが不要となる。
　【符号の説明】
　【００５２】
　１　リボンカセット
　２　筐体
　２Ａ　本体
　２Ｂ　蓋
　２Ｃ　収納部
　３　枢支部材
　３Ａ　枢支部材
　３Ｂ　枢支部材
　４　ギヤ（駆動部材）
　４Ａ　ギヤ
　４Ｂ　ギヤ
　５　巻きばね（付勢部材）
　６　移動禁止部材
　Ｒ　インクリボン
（５７）【特許請求の範囲】
　【請求項１】
（削除）
　【請求項２】
　
ドットインパクトプリンタに装着されて使用されるリボンカセットであって、開閉可能で本体と蓋とからなる筐体と、この筐体内に形成され、端同士を繋いだ無端状のファブリックリボンあるいは繋ぎ目のないファブリックシームレスリボンにインクを含浸させたインクリボンを密集状態で収納する収納部と、この収納部のインクリボンの戻り部位に平面視略直角三角形状とされ、斜辺が前記収納部に臨むように設けられた枢支部材を介して設けられ、対向間に前記インクリボンを挟み込んだ対をなす駆動部材と、対をなす駆動部材を互いに密着させるべく少なくとも一方側の前記枢支部材を該駆動部材の対向方向に付勢するために該枢支部材の下端と、本体の上下方向の下内面との間に設けた付勢部材とを備え、対をなす駆動部材を枢支した枢支部材のうち前記付勢部材を設けた側の前記枢支部材が傾動可能とされ、傾動ストロークを一定範囲内に規制する移動禁止部材を、
２枚
ると共に、前記筐体の蓋側に設けて該蓋を開けることで該移動禁止部材による前記枢支部材の傾動禁止状
が解除されるようにしたことを特徴とするリボンカセット。